(57)【要約】【課題】近傍にコンピュータを固定的に設置したり、バーコードリーダを接続したりする必要のない眼科装置を提供する。【解決手段】実施形態の眼科装置は、本体部と、装着部と、通信部と、本体制御部とを有する。本体部は、被検眼の情報を取得するために用いられる。装着部には、通信機能を有する携帯端末が装着される。通信部は、携帯端末との間で情報通信を行なう。本体制御部は、通信部を介して携帯端末から入力された情報に基づいて本体部を制御する。【選択図】図２
2014104130.tif 000002
【特許請求の範囲】
【請求項１】
被検眼の情報を取得するための本体部と、
通信機能を有する携帯端末が装着される装着部と、
前記携帯端末との間で情報通信を行なう通信部と、
前記通信部を介して前記携帯端末から入力された情報に基づいて前記本体部を制御する本体制御部と
を有することを特徴とする眼科装置。
【請求項２】
被検眼の情報を取得するための本体部と、
通信機能を有する携帯端末と
を含み、
前記本体部は、
前記携帯端末が装着される装着部と、
前記携帯端末との間で情報通信を行なう通信部と、
前記通信部を介して前記携帯端末から入力された情報に基づいて前記本体部を制御する本体制御部と
を有する
ことを特徴とする眼科装置。
【請求項３】
前記通信部は、前記装着部に装着されている前記携帯端末に対する操作内容を示す操作情報を受信し、
前記本体制御部は、受信された操作情報に基づいて、当該操作内容に対応する動作を前記本体部に実行させる
ことを特徴とする請求項１または請求項２に記載の眼科装置。
【請求項４】
前記携帯端末は、被検者情報が予め記憶された端末記憶部を有し、
前記通信部は、前記装着部に装着されている前記携帯端末の前記端末記憶部に記憶されている被検者情報を受信し、
前記本体部は、受信された被検者情報を記憶する本体記憶部を有する
ことを特徴とする請求項１または請求項２に記載の眼科装置。
【請求項５】
前記携帯端末は、
複数の被検者のそれぞれの被検者情報が予め記憶された端末記憶部を有し、
被検者の変更を示す被検者変更情報が入力されたときに、前記通信部は、前記装着部に装着されている前記携帯端末の前記端末記憶部に記憶されている新たな被検者の被検者情報を受信し、
前記本体部は、受信された前記新たな被検者の被検者情報を記憶する本体記憶部を有する
ことを特徴とする請求項１または請求項２に記載の眼科装置。
【請求項６】
前記携帯端末は、前記本体部の動作条件を示す動作条件情報が予め記憶された端末記憶部を有し、
前記通信部は、前記装着部に装着されている前記携帯端末の前記端末記憶部に記憶されている動作条件情報を受信し、
前記本体制御部は、受信された動作条件情報に基づいて前記本体部を制御する
ことを特徴とする請求項１または請求項２に記載の眼科装置。
【請求項７】
前記携帯端末は、複数の被検者のそれぞれの被検者情報と、前記本体部の動作条件を示す動作条件情報とが予め対応付けられて記憶された端末記憶部を有し、
被検者の変更を示す被検者変更情報が入力されたときに、前記通信部は、前記装着部に装着されている前記携帯端末の前記端末記憶部に記憶されている新たな被検者の被検者情報と、この被検者情報に対応付けられた動作条件情報とを受信し、
前記本体部は、受信された前記新たな被検者の被検者情報および動作条件情報を記憶する本体記憶部を有し、
前記本体制御部は、受信された動作条件情報に基づいて前記本体部を制御する
ことを特徴とする請求項１または請求項２に記載の眼科装置。
【請求項８】
前記携帯端末は、検者情報が予め記憶された端末記憶部を有し、
前記通信部は、前記装着部に装着されている前記携帯端末の前記端末記憶部に記憶されている検者情報を受信し、
前記本体部は、受信された検者情報を記憶する本体記憶部を有する
ことを特徴とする請求項１または請求項２に記載の眼科装置。
【請求項９】
前記携帯端末は、前記携帯端末から前記本体部に送信された情報の少なくとも一部を表示する表示部を有する
ことを特徴とする請求項４〜請求項８のいずれか一項に記載の眼科装置。
【請求項１０】
前記通信部は、前記本体部により取得された被検眼の情報を送信し、
前記携帯端末は、受信された被検眼の情報を表示する表示部を有する
ことを特徴とする請求項１または請求項２に記載の眼科装置。
【請求項１１】
前記本体部による当該被検者の被検眼の情報の取得が終了したときに、前記通信部は、この被検眼の情報を送信し、
前記携帯端末は、被検眼の情報を受信したときに、当該被検者の被検眼の情報の取得が終了したことを示す情報取得終了情報を外部装置に送信する外部通信部を有する
ことを特徴とする請求項１または請求項２に記載の眼科装置。
【請求項１２】
前記携帯端末は、受信された当該被検眼の情報を情報取得終了情報とともに前記外部装置に送信する
ことを特徴とする請求項１１に記載の眼科装置。
【請求項１３】
前記携帯端末は、
端末記憶部と、
前記端末記憶部の空き容量が閾値未満である場合に報知情報を出力する報知部と
を有する
ことを特徴とする請求項１０〜請求項１２のいずれか一項に記載の眼科装置。
【請求項１４】
前記本体制御部は、電源オフ状態の前記本体部の前記装着部に前記携帯端末が装着されたことに対応して前記本体部の電源をオンにする電源制御部を含む
ことを特徴とする請求項１または請求項２に記載の眼科装置。
【請求項１５】
前記本体制御部は、電源オン状態の前記本体部の前記装着部から前記携帯端末が取り外されたことに対応して前記本体部の電源をオフにする電源制御部を含む
ことを特徴とする請求項１または請求項２に記載の眼科装置。
【請求項１６】
前記本体制御部は、前記本体部の消費電力モードを、通常電力モードと省電力モードとに切り替える消費電力モード制御部を含み、
前記消費電力モード制御部は、省電力モードの前記本体部の前記装着部に前記携帯端末が装着されたことに対応して通常電力モードに切り替える
ことを特徴とする請求項１または請求項２に記載の眼科装置。
【請求項１７】
前記本体制御部は、前記本体部の消費電力モードを、通常電力モードと省電力モードとに切り替える消費電力モード制御部を含み、
前記消費電力モード制御部は、通常電力モードの前記本体部の前記装着部から前記携帯端末が取り外されたことに対応して省電力モードに切り替える
ことを特徴とする請求項１または請求項２に記載の眼科装置。
【請求項１８】
前記本体制御部は、前記装着部から前記携帯端末が取り外されたことに対応して前記本体部に対する新たな操作を無効にする操作制御部を含む
ことを特徴とする請求項１または請求項２に記載の眼科装置。
【請求項１９】
前記本体部は、自身に供給される電力によって、前記装着部に装着されている前記携帯端末を充電する充電部を有する
ことを特徴とする請求項１または請求項２に記載の眼科装置。
【請求項２０】
前記装着部に、前記携帯端末の筺体を引き付ける磁石が設けられている
ことを特徴とする請求項１または請求項２に記載の眼科装置。
【請求項２１】
前記装着部に、前記携帯端末の筺体と係合する係合部が設けられている
ことを特徴とする請求項１または請求項２に記載の眼科装置。
【請求項２２】
前記携帯端末は、スマートフォン、タブレット端末、個人情報端末、携帯電話、またはノート型パーソナルコンピュータである
ことを特徴とする請求項１または請求項２に記載の眼科装置。
【発明の詳細な説明】
【技術分野】
【０００１】
この発明は眼科装置に関する。
【背景技術】
【０００２】
眼科分野では様々な眼科装置が用いられる。眼科装置は、被検眼に関する情報を取得するための装置である。眼科装置には、被検眼の検査に用いられる眼科検査装置、被検眼の観察や撮影に用いられる眼科観察装置、被検眼の治療に用いられる眼科治療装置などがある。眼科検査装置としては、自覚式検眼装置（視標呈示装置等）、他覚式検眼装置（レフラクトメータ、ケラトメータ等）、視野計、眼圧計、スペキュラーマイクロスコープ、ウェーブフロントアナライザーなどがある。眼科観察装置としては、細隙灯顕微鏡、眼底カメラ、光干渉断層計（ＯＣＴ）、走査型レーザ検眼鏡（ＳＬＯ）、手術用顕微鏡、超音波診断装置などがある。眼科治療装置としては、レーザ光凝固装置、レーザ角膜屈折矯正装置などがある。
【０００３】
これら眼科装置の操作は、装置自体に設けられたユーザインターフェイス（操作デバイス、表示デバイス）を用いて行われている。また、被検者情報や検者情報の入力や、検査条件・撮影条件の設定は、装置自体に設けられたユーザインターフェイスや、装置近傍に固定的に設置されたコンピュータ、或いはバーコードリーダ等を用いることにより実行されている。更に、検査や撮影により取得されたデータの保存は、コンパクトフラッシュ（登録商標）カードやＵＳＢメモリ等の記録媒体を装置に取り付けることにより、或いは、装置近傍のコンピュータやネットワーク上のサーバに通信線を介して送信することにより実行されている。
【先行技術文献】
【特許文献】
【０００４】
【特許文献１】特開２００６−２６０００号公報
【特許文献２】特開２００１−１７８６７６号公報
【発明の概要】
【発明が解決しようとする課題】
【０００５】
このように、従来の眼科装置においては、通信可能に構成されたコンピュータを近傍に設けたり、バーコードリーダを接続したりする必要があった。なお、眼科分野では上記のような多種多様の装置が日常的に用いられるが、コンピュータやバーコードリーダを眼科装置ごとに設けている現状のシステム構成は、コストやスペース、操作性などにおいて好適とは言い難い。
【０００６】
この発明の目的は、近傍にコンピュータを固定的に設置したり、バーコードリーダを接続したりする必要のない眼科装置を提供することにある。
【課題を解決するための手段】
【０００７】
上記目的を達成するために、請求項１に記載の発明は、被検眼の情報を取得するための本体部と、通信機能を有する携帯端末が装着される装着部と、前記携帯端末との間で情報通信を行なう通信部と、前記通信部を介して前記携帯端末から入力された情報に基づいて前記本体部を制御する本体制御部とを有することを特徴とする眼科装置である。
また、請求項２に記載の発明は、であって、被検眼の情報を取得するための本体部と、通信機能を有する携帯端末とを含み、前記本体部は、前記携帯端末が装着される装着部と、前記携帯端末との間で情報通信を行なう通信部と、前記通信部を介して前記携帯端末から入力された情報に基づいて前記本体部を制御する本体制御部とを有することを特徴とする眼科装置である。
また、請求項３に記載の発明は、請求項１または請求項２に記載の眼科装置であって、前記通信部は、前記装着部に装着されている前記携帯端末に対する操作内容を示す操作情報を受信し、前記本体制御部は、受信された操作情報に基づいて、当該操作内容に対応する動作を前記本体部に実行させることを特徴とする。
また、請求項４に記載の発明は、請求項１または請求項２に記載の眼科装置であって、前記携帯端末は、被検者情報が予め記憶された端末記憶部を有し、前記通信部は、前記装着部に装着されている前記携帯端末の前記端末記憶部に記憶されている被検者情報を受信し、前記本体部は、受信された被検者情報を記憶する本体記憶部を有することを特徴とする。
また、請求項５に記載の発明は、請求項１または請求項２に記載の眼科装置であって、前記携帯端末は、複数の被検者のそれぞれの被検者情報が予め記憶された端末記憶部を有し、被検者の変更を示す被検者変更情報が入力されたときに、前記通信部は、前記装着部に装着されている前記携帯端末の前記端末記憶部に記憶されている新たな被検者の被検者情報を受信し、前記本体部は、受信された前記新たな被検者の被検者情報を記憶する本体記憶部を有することを特徴とする。
また、請求項６に記載の発明は、請求項１または請求項２に記載の眼科装置であって、前記携帯端末は、前記本体部の動作条件を示す動作条件情報が予め記憶された端末記憶部を有し、前記通信部は、前記装着部に装着されている前記携帯端末の前記端末記憶部に記憶されている動作条件情報を受信し、前記本体制御部は、受信された動作条件情報に基づいて前記本体部を制御することを特徴とする。
また、請求項７に記載の発明は、請求項１または請求項２に記載の眼科装置であって、前記携帯端末は、複数の被検者のそれぞれの被検者情報と、前記本体部の動作条件を示す動作条件情報とが予め対応付けられて記憶された端末記憶部を有し、被検者の変更を示す被検者変更情報が入力されたときに、前記通信部は、前記装着部に装着されている前記携帯端末の前記端末記憶部に記憶されている新たな被検者の被検者情報と、この被検者情報に対応付けられた動作条件情報とを受信し、前記本体部は、受信された前記新たな被検者の被検者情報および動作条件情報を記憶する本体記憶部を有し、前記本体制御部は、受信された動作条件情報に基づいて前記本体部を制御することを特徴とする。
また、請求項８に記載の発明は、請求項１または請求項２に記載の眼科装置であって、前記携帯端末は、検者情報が予め記憶された端末記憶部を有し、前記通信部は、前記装着部に装着されている前記携帯端末の前記端末記憶部に記憶されている検者情報を受信し、前記本体部は、受信された検者情報を記憶する本体記憶部を有することを特徴とする。
また、請求項９に記載の発明は、請求項４〜請求項８のいずれか一項に記載の眼科装置であって、前記携帯端末は、前記携帯端末から前記本体部に送信された情報の少なくとも一部を表示する表示部を有することを特徴とする。
また、請求項１０に記載の発明は、請求項１または請求項２に記載の眼科装置であって、前記通信部は、前記本体部により取得された被検眼の情報を送信し、前記携帯端末は、受信された被検眼の情報を表示する表示部を有することを特徴とする。
また、請求項１１に記載の発明は、請求項１または請求項２に記載の眼科装置であって、前記本体部による当該被検者の被検眼の情報の取得が終了したときに、前記通信部は、この被検眼の情報を送信し、前記携帯端末は、被検眼の情報を受信したときに、当該被検者の被検眼の情報の取得が終了したことを示す情報取得終了情報を外部装置に送信する外部通信部を有することを特徴とする。
また、請求項１２に記載の発明は、請求項１１に記載の眼科装置であって、前記携帯端末は、受信された当該被検眼の情報を情報取得終了情報とともに前記外部装置に送信することを特徴とする。
また、請求項１３に記載の発明は、請求項１０〜請求項１２のいずれか一項に記載の眼科装置であって、前記携帯端末は、端末記憶部と、前記端末記憶部の空き容量が閾値未満である場合に報知情報を出力する報知部とを有することを特徴とする。
また、請求項１４に記載の発明は、請求項１または請求項２に記載の眼科装置であって、前記本体制御部は、電源オフ状態の前記本体部の前記装着部に前記携帯端末が装着されたことに対応して前記本体部の電源をオンにする電源制御部を含むことを特徴とする。
また、請求項１５に記載の発明は、請求項１または請求項２に記載の眼科装置であって、前記本体制御部は、電源オン状態の前記本体部の前記装着部から前記携帯端末が取り外されたことに対応して前記本体部の電源をオフにする電源制御部を含むことを特徴とする。
また、請求項１６に記載の発明は、請求項１または請求項２に記載の眼科装置であって、前記本体制御部は、前記本体部の消費電力モードを、通常電力モードと省電力モードとに切り替える消費電力モード制御部を含み、前記消費電力モード制御部は、省電力モードの前記本体部の前記装着部に前記携帯端末が装着されたことに対応して通常電力モードに切り替えることを特徴とする。
また、請求項１７に記載の発明は、請求項１または請求項２に記載の眼科装置であって、前記本体制御部は、前記本体部の消費電力モードを、通常電力モードと省電力モードとに切り替える消費電力モード制御部を含み、前記消費電力モード制御部は、通常電力モードの前記本体部の前記装着部から前記携帯端末が取り外されたことに対応して省電力モードに切り替えることを特徴とする。
また、請求項１８に記載の発明は、請求項１または請求項２に記載の眼科装置であって、前記本体制御部は、前記装着部から前記携帯端末が取り外されたことに対応して前記本体部に対する新たな操作を無効にする操作制御部を含むことを特徴とする。
また、請求項１９に記載の発明は、請求項１または請求項２に記載の眼科装置であって、前記本体部は、自身に供給される電力によって、前記装着部に装着されている前記携帯端末を充電する充電部を有することを特徴とする。
また、請求項２０に記載の発明は、請求項１または請求項２に記載の眼科装置であって、前記装着部に、前記携帯端末の筺体を引き付ける磁石が設けられていることを特徴とする。
また、請求項２１に記載の発明は、請求項１または請求項２に記載の眼科装置であって、前記装着部に、前記携帯端末の筺体と係合する係合部が設けられていることを特徴とする。
また、請求項２２に記載の発明は、請求項１または請求項２に記載の眼科装置であって、前記携帯端末は、スマートフォン、タブレット端末、個人情報端末、携帯電話、またはノート型パーソナルコンピュータであることを特徴とする。
【発明の効果】
【０００８】
この発明に係る眼科装置によれば、近傍にコンピュータを固定的に設置したり、バーコードリーダを接続したりする必要がない。
【図面の簡単な説明】
【０００９】
【図１Ａ】実施形態に係る眼科装置の構成の例を示す概略外観図である。
【図１Ｂ】実施形態に係る眼科装置の構成の例を示す概略外観図である。
【図２】実施形態に係る眼科装置の構成の例を示す概略ブロック図である。
【図３】実施形態に係る眼科装置の構成の例を示す概略ブロック図である。
【図４】実施形態に係る眼科装置の構成の例を示す概略図である。
【図５】実施形態に係る眼科装置の動作の例を示すフローチャートである。
【図６】実施形態に係る眼科装置の動作の例を示すフローチャートである。
【図７】実施形態に係る眼科装置の動作の例を示すフローチャートである。
【図８】実施形態に係る眼科装置の動作の例を示すフローチャートである。
【図９】実施形態に係る眼科装置の構成の例を示す概略ブロック図である。
【図１０】実施形態に係る眼科装置の動作の例を示すフローチャートである。
【図１１】実施形態に係る眼科装置の構成の例を示す概略ブロック図である。
【図１２】実施形態に係る眼科装置の動作の例を示すフローチャートである。
【図１３】実施形態に係る眼科装置の構成の例を示す概略ブロック図である。
【図１４】実施形態に係る眼科装置の動作の例を示すフローチャートである。
【図１５】実施形態に係る眼科装置の構成の例を示す概略ブロック図である。
【図１６】実施形態に係る眼科装置の動作の例を示すフローチャートである。
【図１７】実施形態に係る眼科装置の構成の例を示す概略ブロック図である。
【発明を実施するための形態】
【００１０】
この発明に係る眼科装置の実施形態の一例について、図面を参照しながら詳細に説明する。なお、この明細書に記載された文献の記載内容を実施形態に援用することが可能である。以下、実施形態に係る眼科装置の全体構成について簡単に説明した後に、様々な実施形態について説明する。
【００１１】
［全体構成］
実施形態に係る眼科装置の外観構成の一例を図１Ａおよび図１Ｂに示す。実施形態に係る眼科装置は、少なくとも本体部１００を含む。また、実施形態に係る眼科装置は、携帯端末２００も含んでいてもよい。
【００１２】
眼科装置は、たとえば、被検眼の検査に用いられる眼科検査装置、被検眼の観察や撮影に用いられる眼科観察装置、被検眼の治療に用いられる眼科治療装置のいずれかである。なお、これら眼科装置の具体例については前述した。また、眼科装置は、異種の眼科検査装置（眼科観察装置、眼科治療装置）を組み合わせた複合機であってもよいし、眼科検査装置、眼科観察装置および眼科治療装置のうちの２つ以上を組み合わせた複合機であってもよい。
【００１３】
本体部１００は、被検眼の情報を取得するための構成を有する。たとえば、本体部１００には、光学系、駆動機構、制御回路などが設けられている。これらの構成は、従来の同種の眼科装置と同様である。
【００１４】
携帯端末２００は、携帯可能なコンピュータ端末である。これは、従来の眼科装置の近傍に設置されたコンピュータ端末（据え置き型コンピュータ端末）と異なる。携帯端末２００の例として、スマートフォン、タブレット端末、個人情報端末（ＰＤＡ）、携帯電話、ノート型パーソナルコンピュータなどがある。
【００１５】
ユーザは、眼科装置が設置された施設（医療機関、眼鏡店等）内において、更には施設外において、携帯端末２００を携行することができる。また、施設内に設置されている眼科装置の台数は任意である。それら眼科装置のうち携帯端末２００と連係して動作する眼科装置それぞれが、実施形態に係る眼科装置として用いられる。
【００１６】
本体部１００の筺体には、図１Ａに示す装着部１０１が設けられている。装着部１０１は、本体部１００に携帯端末２００を装着するための構成を有する。ここで、本体部１００に対する携帯端末２００の取り付け操作および取り外し操作を容易に行なえるように、装着部１０１が構成されていることが好ましい。なお、本体部１００に携帯端末２００を装着している際、携帯端末２００の背面が装着部１０１に接触する。なお、携帯端末２００の背面とは、携帯端末２００の（主たる）表示部が設けられた面（正面）の対向面である。携帯端末２００が本体部１００に装着された状態を図１Ｂに示す。
【００１７】
装着部１０１の構成例を説明する。装着部１０１は、図１Ａに示すように磁石１０２を有する。磁石１０２は、たとえば、携帯端末２００に応じた形状およびサイズを有する矩形状の装着部１０１の四隅にそれぞれ設けられる。携帯端末２００は、磁石１０２の引力により装着部１０１に装着される。なお、本体部１００から携帯端末２００を取り外す操作の容易化を考慮して、磁石１０２が発生する磁力の強さを決定することができる。また、磁力に反応しない材質の携帯端末２００が用いられる場合、磁力に反応する材質からなる部材（磁石シート、金属シート等）を携帯端末２００の背面に取り付けることができる。この部材は、少なくとも、磁石１０２に対応する位置に設けられる。また、携帯端末２００の携帯性を考慮し、この部材は軽量であることが好ましい。
【００１８】
装着部１０１の他の構成例を説明する。携帯端末２００の筺体と係合する係合部を装着部１０１に設ける。係合部の例を説明する。携帯端末２００の背面にフック状の部材が設けられている場合、係合部は、このフック状部材が挿入される部材（たとえば環状の部材）を含む。逆に、係合部がフック状部材である場合には、携帯端末２００の背面に環状部材等を設けることができる。
【００１９】
また、携帯端末２００全体が挿入される袋状、箱状または枠状の部材を係合部とすることも可能である。この係合部は、少なくとも携帯端末２００の表示部に対応する部分が透明になっている。また、表示部をタッチパネルとして用いる場合には、この透明な部分は柔軟な膜状の部材として形成される。なお、表示部に対応する部分が開口になっていてもよい。また、本例の係合部は、携帯端末２００の全体を覆うものである必要はなく、携帯端末２００が本体部１００から容易に脱落しない程度の範囲（たとえば携帯端末２００の半分程度の部分）を覆うように構成されていてもよい。
【００２０】
装着部１０１またはその近傍には、通信インターフェイス１０３が設けられている。通信インターフェイス１０３は、装着部１０１に装着された状態の携帯端末２００との間における情報通信を担う。なお、携帯端末２００は、前述の例示からも明らかなように、情報通信機能を有する。携帯端末２００および通信インターフェイス１０３は、同じ通信規格に準拠している。この通信規格は、Ｂｌｕｅｔｏｏｔｈ（登録商標）等の非接触通信（無線通信）でもよいし、ＵＳＢ等の接触通信（有線通信）でもよい。なお、着脱の利便性を考慮すると非接触通信が好ましいと考えられる。一方、多数の画像データを高速で伝送する必要がある場合などには、接触通信を使用する利点もあると考えられる。
【００２１】
この眼科装置に関する情報を携帯端末２００に表示させるための構成は任意である。たとえば、本体部１００にウェブサーバとしての機能を設け、携帯端末２００にウェブブラウザとしての機能を設けることができる。つまり、ウェブページを生成する機能を本体部１００に設け、このウェブページを閲覧する機能を携帯端末２００に設けることができる。この場合、本体部１００にはウェブページを生成するウェブサーバ機能を奏するアプリケーションソフトウェアが搭載され、携帯端末２００にはウェブページを表示するウェブブラウザ機能を奏するアプリケーションソフトウェアが搭載される。
【００２２】
〈第１の実施形態〉
この実施形態では、本体部１００と携帯端末２００との間における情報通信の例を説明する。
【００２３】
本体部１００と携帯端末２００との間で伝送される情報の例として、操作情報、被検者情報、動作条件情報、検者情報がある。
【００２４】
操作情報は、携帯端末２００を用いて本体部１００を操作するために携帯端末２００から本体部１００に送信される情報である。
【００２５】
被検者情報は、被検者に関する情報であり、被検者の識別情報（患者ＩＤ、顧客ＩＤ等）、被検者の電子カルテに記載されている情報（氏名、年齢、性別、検査結果、撮影画像等）などを含む。
【００２６】
動作条件情報は、本体部１００の動作条件を示す情報であり、本体部１００で検査や撮影を行なうときの本体部１００の各部の設定情報（検査条件、撮影条件等）を含む。また、本体部１００の複数の部位の動作条件が関連付けられている場合、つまり１つ以上の動作モードが予め設定されている場合、動作条件情報は、動作モードの識別情報を含んでいてもよい。
【００２７】
動作条件情報の具体例を説明する。眼科装置が光干渉断層計である場合、動作条件情報には、計測対象部位（黄斑、視神経乳頭等）を示す固視位置情報、対象物に対するスキャン態様を示すスキャン条件などが含まれる。眼科装置が眼底カメラである場合、動作条件情報には、固視位置情報、撮影モード情報（ＦＡＧ蛍光撮影、ＩＣＧ蛍光撮影、自発蛍光撮影等）、照明光の光量を示す情報などが含まれる。
【００２８】
検者情報は、眼科装置の操作者に関する情報であり、操作者の識別情報（医師ＩＤ、店員ＩＤ等）、氏名などを含む。
【００２９】
この実施形態ではこれら全ての情報を伝送可能な構成について説明するが、これらのうちの任意の１つ以上の情報を伝送可能な構成を適用することが可能である。
【００３０】
［構成］
この実施形態に係る眼科装置の構成を説明する。眼科装置の構成例を図２に示す。
【００３１】
（本体部１００）
本体部１００は、本体制御部１１０と、本体通信部１２０と、着脱検知部１３０と、被検眼情報取得部１４０と、本体操作部１５０と、本体記憶部１６０とを有する。
【００３２】
（本体制御部１１０）
本体制御部１１０は、本体部１００の各部を制御する。本体制御部１１０は、マイクロプロセッサ、ＲＡＭ、ＲＯＭ、ハードディスクドライブ、フラッシュメモリ等を含んで構成される。ＲＯＭ、ハードディスクドライブ、フラッシュメモリなどには、制御用のコンピュータプログラムやデータが予め記憶されている。このコンピュータプログラム等に基づいてマイクロプロセッサが動作することにより、本体制御部１１０による制御が実行される。
【００３３】
（本体通信部１２０）
本体通信部１２０は、携帯端末２００（端末通信部２２０）との間で情報通信を行う。本体通信部１２０は、図１Ａに示す通信インターフェイス１０３を含んで構成される。本体通信部１２０は、携帯端末２００と同じ規格の通信デバイスを含む。
【００３４】
（着脱検知部１３０）
着脱検知部１３０は、本体部１００（装着部１０１）に対する携帯端末２００の着脱状態を検知する。特に、着脱検知部１３０は、本体部１００に携帯端末２００が取り付けられたこと、および、本体部１００から携帯端末２００が取り外されたことを、それぞれ検知する。
【００３５】
携帯端末２００の着脱状態を検知可能であれば、着脱検知部１３０の構成は任意である。たとえば、装着部１０１に装着されている携帯端末２００の背面が接触する位置に設けられたマイクロスイッチを、着脱検知部１３０として用いることができる。それにより、このマイクロスイッチは、携帯端末２００の背面によって押下されているときに本体制御部１１０に信号（装着検知信号）を送る。本体制御部１１０は、マイクロスイッチから装着検知信号が入力されている状態を、携帯端末２００が装着されている状態（装着状態）として認識する。一方、本体制御部１１０は、装着検知信号が入力されていない状態を、携帯端末２００が取り外されている状態（非装着状態）と認識する。また、本体制御部１１０は、非装着状態から装着状態への移行が検知されたタイミング、つまり装着検知信号の入力が開始されたタイミングを、本体部１００に携帯端末２００が取り付けられたタイミングとして認識する。逆に、本体制御部１１０は、非装着状態から装着状態への移行が検知されたタイミング、つまり装着検知信号の入力が停止したタイミングを、本体部１００から携帯端末２００が取り外されたタイミングとして認識する。
【００３６】
着脱検知部１３０の他の構成例を説明する。携帯端末２００には、（非接触型）ＩＣカードが設けられているものとする。更に、着脱検知部１３０は、このＩＣカードと同じ様式のカードリーダを含むものとする。このカードリーダは、装着部１０１に装着された状態の携帯端末２００のＩＣカードの近接位置に設けられる。装着部１０１に携帯端末２００が装着されると、カードリーダは、携帯端末２００のＩＣカードに記録された情報を読み取る。この記録情報は、たとえば、本体部１００とともに使用可能な携帯端末であることを示す情報や、携帯端末２００の識別情報などである。ＩＣカードの記録情報を読み取ったカードリーダは、読み取った情報、または読み取った旨を示す情報を、本体制御部１１０に送信する。本体制御部１１０は、カードリーダからの入力情報により、携帯端末２００が装着されたことを認識する。ここで、カードリーダは、ＩＣカードの記録情報を所定時間ごとに読み取るものとする。本体部１００から携帯端末２００が取り外されると、カードリーダは、ＩＣカードの記録情報を読み取ることができなくなる。本体制御部１１０は、カードリーダからの信号に基づき、携帯端末２００が取り外されたことを認識することができる。
【００３７】
以上、着脱検知部１３０の構成例を２つ説明したが、これらに限定されるものではない。たとえば、電気、磁気、光（赤外線等）を利用した構成の着脱検知部１３０を適用することが可能である。
【００３８】
（被検眼情報取得部１４０）
被検眼情報取得部１４０は、被検眼の情報を取得する。被検眼情報取得部１４０は、取得される情報に応じた構成を有する。眼科装置が眼科検査装置を含む場合、被検眼情報取得部１４０は、被検眼の検査を行なってその結果を取得する。眼科装置が眼科観察装置を含む場合、被検眼情報取得部１４０は、被検眼の撮影を行なって画像を取得する。眼科装置が眼科治療装置を含む場合、被検眼情報取得部１４０は、治療時に撮影された画像や、治療効果を示す情報を取得する。
【００３９】
（本体操作部１５０）
本体操作部１５０は、本体部１００に設けられた操作デバイスである。本体操作部１５０は、ボタン、ノブ、ダイヤル等のハードウェアを含んでいてもよいし、表示デバイスに表示されるＧＵＩを含んでいてもよい。ＧＵＩは、図示しない表示デバイスに本体制御部１１０によって表示される。
【００４０】
ユーザによる操作を受けた本体操作部１５０は、その操作内容に応じた信号を本体制御部１１０に送信する。本体制御部１１０は、この信号に基づいて制御を行う。なお、ユーザが本体操作部１５０を操作することで発生した駆動力によって部材を動作させる機構を設けてもよい。すなわち、本体制御部１１０を介した電動制御ではなく、力学的な機構によって本体部１００の操作を行えるようにしてもよい。
【００４１】
後述のように、この実施形態では、携帯端末２００を用いて本体部１００を操作することができる。本体操作部１５０により行われる操作は、携帯端末２００による操作と重複していてもよいし、重複していなくてもよい。
【００４２】
（本体記憶部１６０）
本体記憶部１６０は、各種の情報を記憶する。本体記憶部１６０に情報を書き込む処理、および本体記憶部１６０から情報を読み出す処理は、本体制御部１１０によって行われる。本体記憶部１６０は、たとえば、ハードディスクドライブやフラッシュメモリを含んで構成される。
【００４３】
（携帯端末２００）
携帯端末２００は、端末制御部２１０と、端末通信部２２０と、表示部２３０と、端末操作部２４０と、端末記憶部２５０と、外部通信部２６０とを有する。
【００４４】
（端末制御部２１０）
端末制御部２１０は、携帯端末２００の各部を制御する。端末制御部２１０は、マイクロプロセッサ、ＲＡＭ、ＲＯＭ、ハードディスクドライブ、フラッシュメモリ等を含んで構成される。ＲＯＭ、ハードディスクドライブ、フラッシュメモリなどには、制御用のコンピュータプログラムやデータが予め記憶されている。このコンピュータプログラム等に基づいてマイクロプロセッサが動作することにより、端末制御部２１０による制御が実行される。
【００４５】
（端末通信部２２０）
端末通信部２２０は、本体部１００（本体通信部１２０）との間で情報通信を行う。端末通信部２２０は、本体通信部１２０と同じ規格の通信デバイスを含む。
【００４６】
（表示部２３０）
表示部２３０は、端末制御部２１０の制御を受けて各種の情報を表示する。表示部２３０としては、液晶ディスプレイ、有機ＥＬディスプレイ等のフレットパネルディスプレイが用いられる。
【００４７】
（端末操作部２４０）
端末操作部２４０は、ハードウェアからなる操作デバイスと、ＧＵＩの少なくとも一方を含む。前者は、携帯端末２００の筺体に設けられたボタン、ノブ、ダイヤル等である。後者は、端末制御部２１０により表示部２３０に表示される。ユーザによる操作を受けた端末操作部２４０は、その操作内容に応じた信号を端末制御部２１０に送信する。端末制御部２１０は、この信号に基づいて制御を行う。
【００４８】
（端末記憶部２５０）
端末記憶部２５０は、各種の情報を記憶する。端末記憶部２５０に情報を書き込む処理、および端末記憶部２５０から情報を読み出す処理は、端末制御部２１０によって行われる。端末記憶部２５０は、たとえば、ハードディスクドライブやフラッシュメモリを含んで構成される。
【００４９】
（外部通信部２６０）
外部通信部２６０は、外部装置（当該眼科装置と異なる装置）３００との間で情報通信を行う。この情報通信は、有線通信でも無線通信でもよい。
【００５０】
外部装置３００の例としてサーバがある。サーバは、たとえば当該施設内に構築されたＬＡＮ上に設けられている。サーバの例として、医療機関に設置されたファイルサーバ（電子カルテサーバ、画像サーバ（ＤＩＣＯＭサーバ）等）や、眼鏡店に設置されたファイルサーバ（顧客管理サーバ等）がある。また、外部装置３００は、医師が使用するコンピュータ端末（医師端末）等であってもよい。
【００５１】
外部装置３００は、当該施設外に設置されていてもよい。その場合、携帯端末２００と外部装置３００は、インターネットや広域専用線を介して情報通信を行う。
【００５２】
外部通信部２６０は、たとえばＬＡＮカードや、インターネット用通信インターフェイスなど、通信先となる外部装置３００に応じた構成を有する。
【００５３】
（端末記憶部２５０に記憶されている情報）
端末記憶部２５０には、各種の情報が予め記憶されている。「予め」とは、本体部１００との間で情報通信を行う前を示す。端末記憶部２５０に記憶されている情報の例を図３に示す。図３に示す端末記憶部２５０には、被検者情報２５１と、動作条件情報２５２と、検者情報２５３とが予め記憶されている。これら情報については前述した。
【００５４】
これら情報は、たとえば、端末制御部２１０が外部通信部２６０を制御して外部装置３００から読み出して端末記憶部２５０に記憶させたものである。また、これら情報は、端末操作部２４０を用いて入力または加工された情報であってもよい。
【００５５】
この実施形態では、被検者情報２５１と動作条件情報２５２とが予め対応付けられている。この対応付けは、一の被検者の被検眼について、どのような情報をどのように取得するかを示すものである。より具体的には、この対応付けは、たとえば、被検者ＩＤと動作条件情報とを関連付けることによりなされる。
【００５６】
被検者情報２５１には、複数の被検者に関する情報が含まれていてもよい。たとえば、これから検査等を行う患者のリストを被検者情報２５１として用いることができる。その場合、上記対応付けは被検者ごとになされている。つまり、被検者情報２５１と動作条件情報２５２は、複数の被検者に対して適用される本体部１００の動作条件のリストとして構成される。その具体例を図４に示す。図４に示す情報には、被検者情報２５１に相当する患者ＩＤと、動作条件情報２５２に相当する条件Ａ、Ｂ、ＣおよびＤとが記録されている。患者ＩＤ「０００１」には、条件Ａ「ａ１」、条件Ｂ「ｂ５」、条件Ｃ「ｃ２」および条件Ｄ「ｄ３」が対応付けられている。その他の患者ＩＤについても同様に、条件Ａ〜Ｄが対応付けられている。
【００５７】
［動作］
実施形態に係る眼科装置の動作例を説明する。
【００５８】
（動作例１）
図５を参照しつつ、本体部１００に携帯端末２００を装着したときに実行される処理の例を説明する。携帯端末２００の端末記憶部２５０には、被検者情報２５１、動作条件情報２５２および検者情報２５３が事前に記憶されているものとする。
【００５９】
（Ｓ１：携帯端末を装着する）
ユーザが、本体部１００に携帯端末２００を装着する。
【００６０】
（Ｓ２：本体部が装着を検知する）
本体部１００の着脱検知部１３０および本体制御部１１０が、本体部１００に携帯端末２００が装着されたことを検知する。携帯端末２００の装着が検知されたことを受けて、本体制御部１１０は、携帯端末２００からの情報を受信する準備をする。たとえば、本体制御部１１０は、本体通信部１２０を制御して受信待機状態にする。
【００６１】
（Ｓ３：携帯端末が送信情報を準備する）
ユーザにより所定の操作が行われたことを受けて、携帯端末２００の端末制御部２１０は、本体部１００に向けて送信される情報を準備する。この処理は、たとえば、端末記憶部２５０に記憶されている情報のうちから送信される情報（送信情報）を端末制御部２１０が選択的に読み出す処理を含む。
【００６２】
送信情報は、たとえば、本体部１００による検査等に最初に供される被検者の被検者情報２５１を含む。この被検者情報２５１の選択は、たとえば、ユーザが端末操作部２４０を用いて手動で行なわれる。また、図４に示すようなリストの最初に記録されている被検者情報２５１（患者ＩＤ等）を端末制御部２１０が選択するようにしてもよい。この場合、検査等が行われる順序と、複数の被検者情報とが予め対応付けられている。この対応付けは、たとえば、検査等が行われる順序で複数の被検者情報をリストに記録することにより実現される。また、検査等の順序を示す順序情報を複数の被検者情報に対応付けておくようにしてもよい。
【００６３】
また、送信情報は、動作条件情報２５２および／または検者情報２５３を含んでいてもよい。被検者情報２５１と動作条件情報２５２の双方が送信情報に含まれる場合、たとえば図４に示すように、互いに対応付けられた被検者情報２５１と動作条件情報２５２が送信情報として選択される。また、たとえば眼鏡店で用いられる他覚式検眼装置や健康診断に用いられる眼科装置のように、全ての被検者に対して同じ動作条件が適用される場合などには、送信情報に被検者情報２５１が含まれなくてもよい。この動作例では、被検者情報２５１、動作条件情報２５２および検者情報２５３が送信情報に含まれるものとする。
【００６４】
（Ｓ４：携帯端末が送信情報を表示する）
端末制御部２１０は、ステップ３で準備された送信情報を表示部２３０に表示させる。ここで、読み出された全ての情報を表示させてもよいし、その一部のみを表示させてもよい。後者の例として、ユーザが自身の識別情報（医師ＩＤ等）を確認する必要性がないと判断する場合、検者情報２５３を表示させなくてよい。
【００６５】
（Ｓ５：携帯端末が送信情報を送信する）
端末制御部２１０は、端末通信部２２０を制御して、ステップ３で準備された送信情報を送信させる。
【００６６】
（Ｓ６：本体部が送信情報を受信する）
ステップ５で送信された送信情報は、本体部１００の本体通信部１２０により受信される。
【００６７】
送信情報が受信されない場合に再送信を行なうように構成できる。その一例として、本体制御部１１０が携帯端末２００の装着の検知（ステップ２）に対応して計時を開始し、所定時間が経過しても送信情報が受信されなかった場合に警告を出力するようにしてもよい。他の例として、送信情報が受信されたときにその旨を示す情報を本体部１００から携帯端末２００に返信するように構成し、ステップ５の送信の後に携帯端末２００が当該返信を受けなかった場合に警告を出力するように構成してもよい。なお、ここでの警告は、たとえば、本体部１００または携帯端末２００による視覚情報や聴覚情報である。この警告に応じてユーザが再送信の指示を携帯端末２００に入力する。また、上記返信がなかった場合に、端末制御部２１０が自動で再送信を行わせるようにしてもよい。
【００６８】
（Ｓ７：本体部が送信情報を記憶する）
本体制御部１１０は、ステップ６で受信された送信情報を本体記憶部１６０に記憶させる。この後に行われる本体部１００による検査等において、本体制御部１１０は、記憶された動作条件情報に基づいて本体部１００の各部を制御する。以上で、この動作例は終了となる。
【００６９】
（動作例２）
図６を参照しつつ、被検者の変更に伴い実行される処理の例を説明する。携帯端末２００の端末記憶部２５０には、被検者情報２５１、動作条件情報２５２および検者情報２５３が事前に記憶されているものとする。また、動作例１のステップ３で説明したように、先の被検者の被検者情報やそれに対応する動作条件情報は、既に本体部１００に送信されているものとする。
【００７０】
（Ｓ１１：被検者の変更）
被検者の変更に伴い、ユーザは所定の操作を行なう。この操作は、たとえば携帯端末２００の端末操作部２４０を用いて行われる。端末操作部２４０は、この操作に応じた信号を本体制御部１１０に送る。この信号は、被検者の変更を示す被検者変更情報に相当する。
【００７１】
また、検査等の内容が予め決められている場合、目的の情報が本体部１００により取得されたことをもって、被検者の変更を自動検出するように構成することができる。本体部１００は、当該被検者に関する目的の情報が取得された旨を示す信号を携帯端末２００に送信する。この信号は端末通信部２２０を介して端末制御部２１０に入力される。この信号は被検者変更情報に相当する。
【００７２】
（Ｓ１２：携帯端末が新たな被検者の送信情報を準備する）
被検者変更情報の入力を受けて、端末制御部２１０は、新たな被検者に関する送信情報を準備する。この送信情報は、新たな被検者の被検者情報を少なくとも含む。また、図４に示すリスト情報が用いられる場合などには、新たな被検者に対応する動作条件情報も送信情報に含まれる。
【００７３】
また、ここで実行される処理には、端末記憶部２５０に記憶されている情報のうちから新たな被検者の送信情報を端末制御部２１０が選択的に読み出す処理を含む。この処理は、たとえば動作例１のステップ３と同様にして実行される。
【００７４】
（Ｓ１３：携帯端末が新たな被検者の送信情報を表示する）
端末制御部２１０は、ステップ１２で準備された送信情報を表示部２３０に表示させる。この処理は、たとえば動作例１のステップ４と同様にして実行される。
【００７５】
（Ｓ１４：携帯端末が新たな被検者の送信情報を送信する）
端末制御部２１０は、端末通信部２２０を制御して、ステップ１２で準備された送信情報を送信させる。
【００７６】
（Ｓ１５：本体部が新たな被検者の送信情報を受信する）
ステップ１４で送信された送信情報は、本体部１００の本体通信部１２０により受信される。ここで、動作例１で説明した再送信処理を行なってもよい。
【００７７】
（Ｓ１６：本体部が新たな被検者の送信情報を記憶する）
本体制御部１１０は、ステップ１５で受信された送信情報を本体記憶部１６０に記憶させる。この後に行われる本体部１００による検査等において、本体制御部１１０は、記憶された動作条件情報に基づいて本体部１００の各部を制御する。以上で、この動作例は終了となる。
【００７８】
（動作例３）
図７を参照しつつ、携帯端末２００で本体部１００を操作するための処理の例を説明する。
【００７９】
（Ｓ２１：携帯端末がＧＵＩを表示する）
携帯端末２００の端末制御部２１０が、本体部１００を操作するためのＧＵＩを表示部２３０に表示させる。この処理は、たとえば、事前に携帯端末２００にインストールされた所定のアプリケーションソフトウェアを起動することにより実行される。このＧＵＩには、本体部１００に各種の動作を実行させるためのソフトウェアキーが設けられている。また、携帯端末２００に設けられたハードウェアキーについても本体部１００の操作に使用できるように構成してもよい。また、このＧＵＩには、本体部１００の各種設定を行なうための機能などが設けられている。たとえば、動作条件情報にしたがって設定された動作条件を変更するための機能が設けられている。
【００８０】
（Ｓ２２：ユーザがＧＵＩを操作する）
ユーザは、ＧＵＩ等を用いて所望の操作を行なう。端末制御部２１０には、その操作内容を示す信号が入力される。
【００８１】
（Ｓ２３：携帯端末が操作情報を生成する）
端末制御部２１０は、ＧＵＩ等から入力された信号に基づいて、本体部１００に送信するための情報（操作情報）を生成する。
【００８２】
（Ｓ２４：携帯端末が操作情報を送信する）
端末制御部２１０は、端末通信部２２０を制御して、ステップ２３で生成された操作情報を送信させる。
【００８３】
（Ｓ２５：本体部が操作情報を受信する）
ステップ２４で送信された操作情報は、本体部１００の本体通信部１２０により受信される。
【００８４】
（Ｓ２６：本体部が操作情報に対応する動作を実行する）
本体制御部１１０は、ステップ２５で受信された操作情報に対応する動作を本体部１００に実行させる。以上で、この動作例は終了となる。
【００８５】
（動作例４）
図８を参照しつつ、本体部１００により被検眼の情報が取得された後に実行される処理の例を説明する。なお、被検眼の複数の情報を取得する場合、以下の処理を実行するタイミングは、全ての情報を取得した後でも、一部の情報を取得した後でもよい。
【００８６】
（Ｓ３１：本体部が被検眼の情報を取得する）
本体部１００の被検眼情報取得部１４０は、検査や撮影を行なうことにより、被検眼の情報（検査結果、画像等）を取得する。
【００８７】
（Ｓ３２：本体部が被検眼の情報を送信する）
本体制御部１１０は、本体通信部１２０を制御して、ステップ３１で取得された被検眼の情報を送信する。
【００８８】
（Ｓ３３：携帯端末が被検眼の情報を受信する）
ステップ３２で送信された被検眼の情報は、携帯端末２００の端末通信部２２０により受信される。
【００８９】
（Ｓ３４：携帯端末が被検眼の情報を表示する）
端末制御部２１０は、ステップ３３で受信された被検眼の情報を表示部２３０に表示させる。ここで、被検眼の情報を表示するためのアプリケーションソフトウェアが事前に起動され、端末制御部２１０は、このアプリケーションソフトウェアにしたがって、当該被検者の被検者情報２５１や、取得された被検眼の情報を表示する。
【００９０】
（Ｓ３５：携帯端末が外部装置に送信される情報を準備する）
被検眼の複数の情報を取得する場合であって、一部の情報を順次に携帯端末２００に伝送する場合、全ての情報が伝送されるまでステップ３１〜ステップ３４が繰り返される。当該被検者に関する全ての情報を携帯端末２００が受信すると、端末制御部２１０は、外部装置３００に送信される情報を準備する。
【００９１】
この情報には、当該被検者の被検眼の情報の取得が終了したことを示す情報取得終了情報が少なくとも含まれる。また、この情報には、当該被検者の識別情報や、被検眼を示す情報（左眼／右眼情報）が含まれる。更に、この情報には、取得された被検眼の情報が含まれていてもよい。また、この情報には、ステップ３１で情報が取得されたときの動作条件が含まれていてもよい。
【００９２】
（Ｓ３６：携帯端末が外部装置に情報を送信する）
端末制御部２１０は、外部通信部２６０を制御して、ステップ３５で準備された情報を外部装置３００に送信させる。なお、複数設けられた外部装置３００に選択的に情報を送信する場合には、ＧＵＩを用いて送信先を選択できるように構成される。
【００９３】
（Ｓ３７：外部装置が情報を格納する）
外部装置３００は、ステップ３６で送信された情報を受信する。更に、外部装置３００は、受信した情報を格納する。たとえば外部装置３００が電子カルテサーバである場合、外部装置３００は、受信した被検者の識別情報に基づいて当該被検者の電子カルテを検索し、この電子カルテに被検眼の情報等を記録する。外部装置３００が画像サーバや顧客管理サーバ等である場合にも同様の処理が実行される。以上で、この動作例の処理は終了となる。
【００９４】
［作用・効果］
実施形態に係る眼科装置の作用および効果を説明する。
【００９５】
実施形態に係る眼科装置は、少なくとも本体部１００を含み、携帯端末２００を含んでいても含んでいなくてもよい。携帯端末２００は、通信機能を有している。本体部１００は、被検眼の情報を取得するための機能を有する。本体部１００は、装着部１０１と、本体通信部１２０（通信部）と、本体制御部１１０とを有する。装着部１０１には、携帯端末２００が装着される。本体通信部１２０は、携帯端末２００との間で情報通信を行なう。本体制御部１１０は、本体通信部１２０を介して携帯端末２００から入力された情報に基づいて本体部１００を制御する。
【００９６】
本体通信部１２０が、装着部１０１に装着されている携帯端末２００に対する操作内容を示す操作情報を受信し、かつ、本体制御部１１０が、受信された操作情報に基づいて、当該操作内容に対応する動作を本体部１００に実行させるように構成できる。この構成によれば、携帯端末２００を用いて本体部１００を操作できるので、操作用のコンピュータを眼科装置の近傍に設置する必要がない。
【００９７】
携帯端末２００は、被検者情報２５１が予め記憶された端末記憶部２５０を有していてもよい。その場合、本体通信部１２０は、装着部１０１に装着されている携帯端末２００の端末記憶部２５０に記憶されている被検者情報２５１を受信する。更に、本体部１００は、受信された被検者情報２５１を記憶する本体記憶部１６０を有する。この構成によれば、携帯端末２００を用いて被検者情報の入力を行なうことができるので、そのためのコンピュータを眼科装置の近傍に設置したり、バーコードリーダを設けたりする必要がない。
【００９８】
携帯端末２００は、複数の被検者のそれぞれの被検者情報２５１が予め記憶された端末記憶部２５０を有していてもよい。その場合、被検者の変更を示す被検者変更情報が入力されたときに、本体通信部１２０は、装着部１０１に装着されている携帯端末２００の端末記憶部２５０に記憶されている新たな被検者の被検者情報２５１を受信する。更に、本体部１００は、受信された新たな被検者の被検者情報を記憶する本体記憶部１６０を有する。この構成によれば、被検者の変更に伴う被検者情報の入力を、携帯端末２００を用いて行なうことができるので、そのためのコンピュータを眼科装置の近傍に設置したり、バーコードリーダを設けたりする必要がない。また、新たな被検者の被検者情報が自動で入力されるので、被検者を変更するたびに被検者情報を入力する煩わしさがない。
【００９９】
携帯端末２００は、本体部１００の動作条件を示す動作条件情報２５２が予め記憶された端末記憶部２５０を有していてもよい。その場合、本体通信部１２０は、装着部１０１に装着されている携帯端末２００の端末記憶部２５０に記憶されている動作条件情報２５２を受信する。更に、本体制御部１１０は、受信された動作条件情報２５２に基づいて本体部１００を制御する。この構成によれば、携帯端末２００を用いて動作条件情報の入力を行なうことができるので、そのためのコンピュータを眼科装置の近傍に設置する必要がない。なお、前述したように、携帯端末２００を用いて動作条件情報の変更操作を行なうことも可能である。
【０１００】
携帯端末２００は、複数の被検者のそれぞれの被検者情報２５１と、本体部１００の動作条件を示す動作条件情報２５２とが予め対応付けられて記憶された端末記憶部２５０を有していてもよい。その場合、被検者の変更を示す被検者変更情報が入力されたときに、本体通信部１２０は、装着部１０１に装着されている携帯端末２００の端末記憶部２５０に記憶されている新たな被検者の被検者情報２５１と、この被検者情報２５１に対応付けられた動作条件情報２５２とを受信する。更に、本体部１００は、受信された新たな被検者の被検者情報２５１および動作条件情報２５２を記憶する本体記憶部１６０を有する。そして、本体制御部１１０は、受信された動作条件情報２５２に基づいて本体部１００を制御する。この構成によれば、被検者の変更に伴う被検者情報の入力を、携帯端末２００を用いて行なうことができるので、そのためのコンピュータを眼科装置の近傍に設置したり、バーコードリーダを設けたりする必要がない。また、新たな被検者の被検者情報が自動で入力されるので、被検者を変更するたびに被検者情報を入力する煩わしさがない。また、携帯端末２００を用いて動作条件情報の入力を行なうことができるので、そのためのコンピュータを眼科装置の近傍に配置させる必要がない。更に、被検者情報２５１と動作条件情報２５２が予め対応付けられているので、被検者ごとに動作条件が異なる場合における条件設定の手間を省くことができる。
【０１０１】
携帯端末２００は、検者情報２５３が予め記憶された端末記憶部２５０を有していてもよい。その場合、本体通信部１２０は、装着部１０１に装着されている携帯端末２００の端末記憶部２５０に記憶されている検者情報２５３を受信する。更に、本体部１００は、受信された検者情報２５３を記憶する本体記憶部１６０を有する。この構成によれば、携帯端末２００を用いて検者情報の入力を行なうことができるので、そのためのコンピュータを眼科装置の近傍に設置したり、バーコードリーダを設けたりする必要がない。
【０１０２】
携帯端末２００は、携帯端末２００から本体部１００に送信された情報の少なくとも一部を表示する表示部２３０を有していてもよい。この構成によれば、本体部１００への送信情報を携帯端末２００にて確認することができる。また、送信情報を確認するためのコンピュータを眼科装置の近傍に設置する必要がない。
【０１０３】
本体通信部１２０が、本体部１００により取得された被検眼の情報を送信し、かつ、携帯端末２００が、受信された被検眼の情報を表示する表示部２３０を有していてもよい。この構成によれば、本体部１００により取得された情報を携帯端末２００で閲覧できるので、そのためのコンピュータを眼科装置の近傍に設置する必要がない。
【０１０４】
本体部１００による当該被検者の被検眼の情報の取得が終了したときに、本体通信部１２０が、この被検眼の情報を送信するように構成できる。その場合、携帯端末２００は、被検眼の情報を受信したときに、当該被検者の被検眼の情報の取得が終了したことを示す情報取得終了情報を外部装置３００に送信する外部通信部２６０を有する。また、携帯端末２００は、受信された当該被検眼の情報を情報取得終了情報とともに外部装置３００に送信してもよい。この構成によれば、携帯端末２００を用いて外部装置３００への情報の送信を行なうことができるので、そのためのコンピュータを眼科装置の近傍に設置する必要がない。
【０１０５】
〈第２の実施形態〉
携帯端末２００は、その携帯性から、固定的に設置されるコンピュータと比較して記憶容量に制限がある。また、医療分野において扱われる情報は、一般にデータ量が多い。この実施形態では、このような事情を鑑み、携帯端末２００の記憶容量管理について説明する。眼科分野においては、被検眼の画像を多数取得することがあるため、携帯端末２００の記憶容量管理は重要である。なお、第１の実施形態と同様の構成部分には同じ符号が付されている。
【０１０６】
［構成］
この実施形態の携帯端末２００の構成例を図９に示す。なお、本体部１００は第１の実施形態と同様の構成であってよい。よって、本体部１００の内部構成の図示は省略する。
【０１０７】
この実施形態の端末制御部２１０は記憶容量管理部２１１を有する。記憶容量管理部２１１は、端末記憶部２５０の記憶容量を管理する。特に、記憶容量管理部２１１は、端末記憶部２５０の現在の空き容量を検出する。空き容量を検出する処理は、従来のコンピュータと同様にして実行される。携帯端末２００が汎用コンピュータである場合、オペレーティングシステムが当該機能を有するのが一般的である。なお、空き容量と、当該アプリケーションソフトウェアによる使用可能容量とが異なる場合があるが、その場合には「空き容量」は「使用可能容量」を意味するものとする。
【０１０８】
また、記憶容量管理部２１１は、端末記憶部２５０の空き容量が所定の閾値未満であるか判定する。この閾値は、たとえば、本体部１００により取得される被検眼の情報の標準的なデータ量と同程度、またはそれ以上に設定される。なお、取得される情報のデータ量は、本体部１００が実行する検査や撮影の種別に応じて異なる。よって、検査や撮影の種別ごとに閾値を用意しておき、検査種別や撮影種別の指定に応じた閾値を選択的に使用することができる。ここで、種別の指定は、携帯端末２００を用いて手動で行なってもよいし、動作条件情報２５２や電子カルテ情報や検査オーダ情報などに基づいて端末制御部２１０が自動で行なってもよい。
【０１０９】
［動作］
図１０を参照しつつ、本体部１００から携帯端末２００に情報が伝送されるときに実行される処理の例を説明する。
【０１１０】
（Ｓ４１：本体部が被検眼の情報を取得する）
本体部１００の被検眼情報取得部１４０は、検査や撮影を行なうことにより、被検眼の情報（検査結果、画像等）を取得する。
【０１１１】
（Ｓ４２：本体部が受信要求を送信する）
本体制御部１１０は、本体通信部１２０を制御して、ステップ４１で取得された被検眼の情報を携帯端末２００に受信するよう要求するための受信要求を送信する。
【０１１２】
（Ｓ４３：携帯端末が受信要求を受信する）
ステップ４２で送信された受信要求は、携帯端末２００の端末通信部２２０により受信される。
【０１１３】
（Ｓ４４：空き容量は閾値未満か？）
記憶容量管理部２１１は、端末記憶部２５０の空き容量が閾値未満であるか判定する。
【０１１４】
（Ｓ４４「Ｎｏ」、Ｓ４５：携帯端末が送信開始指示を送信する）
空き容量が閾値以上であると判定された場合（Ｓ４４、Ｎｏ）、端末制御部２１０は、端末通信部２２０を制御して、被検眼の情報の開始を指示するための送信開始指示を送信する（Ｓ４５）。
【０１１５】
（Ｓ４６：本体部が送信開始指示を受信する）
ステップ４５で送信された送信開始指示は、本体通信部１２０により受信される。
【０１１６】
（Ｓ４７：本体部が被検眼の情報を送信する）
本体制御部１１０は、本体通信部１２０を制御して、ステップ４１で取得された被検眼の情報を送信する。
【０１１７】
（Ｓ４８：携帯端末が被検眼の情報を受信する）
ステップ４７で送信された被検眼の情報は、端末通信部２２０により受信される。
【０１１８】
（Ｓ４９：携帯端末が被検眼の情報を表示する）
端末制御部２１０は、ステップ４８で受信された被検眼の情報の少なくとも一部を表示部２３０に表示させる。ここで、第１の実施形態で説明した外部装置３００への情報送信などを行なってもよい。ステップ４４で空き容量が閾値以上であると判定された場合の処理はこれで終了となる。
【０１１９】
（Ｓ４４「Ｙｅｓ」、Ｓ５０：携帯端末が報知情報を出力する）
ステップ４４において空き容量が閾値未満であると判定された場合（Ｓ４４、Ｙｅｓ）、端末制御部２１０は、その旨を示すメッセージや画像を表示部２３０に表示させる。このメッセージや画像は報知情報の一例である。報知情報はこのような視覚情報には限られず、警告音等の聴覚情報であってもよい。
【０１２０】
報知情報は、対処法（インストラクション）を示す情報などを含んでいてもよい。たとえば、携帯端末２００に記憶されている不要なデータを削除するように促す情報や、現時点で不要なデータを外部装置３００等に一時的に退避させるように促す情報などがある。ユーザが所定の操作を行なって空き容量が閾値以上になったら、被検眼の情報の伝送が開始される。この処理は、たとえば上記のステップ４５〜ステップ４８と同様にして行われる。また、本体部１００が他の装置（外部装置３００等）と通信可能である場合には、取得された被検眼の情報を他の装置に送信させるように構成することも可能である。以上で、この動作例の処理は終了となる。
【０１２１】
他の処理例として、本体部１００により取得された被検眼の情報を、それぞれ空き容量未満のデータ量の部分情報に分割し、これら部分情報を本体部１００から携帯端末２００へ、そして携帯端末２００から外部装置３００へと順次伝送するように構成することも可能である。
【０１２２】
また、被検眼の情報が取得されたときに、この被検眼の情報のデータ量を示す情報を本体部１００から携帯端末２００に送信し、このデータ量を閾値として記憶容量管理部２１１による上記判定処理を行うようにしてもよい。
【０１２３】
［作用・効果］
この実施形態に係る眼科装置の作用および効果を説明する。
【０１２４】
この実施形態に係る眼科装置は、第１の実施形態と同様に、少なくとも本体部１００を含み、携帯端末２００を含んでいても含んでいなくてもよい。本体部１００および携帯端末２００は、第１の実施形態と同様に作用する。よって、従来のようにコンピュータを眼科装置の近傍に設置したり、バーコードリーダを設けたりする必要がない。
【０１２５】
この実施形態の携帯端末２００は、端末記憶部２５０と、端末記憶部２５０の空き容量が閾値未満である場合に報知情報を出力する報知部とを有する。上記の例では、端末制御部２１０と表示部２３０が報知部として機能している。報知部はこれには限定されず、たとえば聴覚情報を出力する音声出力部を表示部２３０に代えて用いることができる。このような構成によれば、携帯端末２００の空き容量が不足している場合であっても、被検眼の情報の伝送を好適に行うことが可能である。
【０１２６】
〈第３の実施形態〉
この実施形態では、携帯端末２００の着脱に応じた本体部１００の電源オン／オフ制御、消費電力モード制御、および操作ロック制御について説明する。
【０１２７】
［電源オン／オフ制御］
［構成］
この実施形態の本体部１００の構成例を図１１に示す。なお、携帯端末２００は第１の実施形態と同様の構成であってよい。したがって、携帯端末２００の内部構成の図示は省略する。
【０１２８】
この実施形態の本体部１００は電源部１７０を有する。電源部１７０は、商用電源（または非常電源）４００から入力される電力を、本体部１００の各部に供給する。電源部１７０は、従来の眼科装置と同様に電源回路等を含んで構成される。
【０１２９】
また、この実施形態の本体制御部１１０は電源制御部１１１を有する。電源制御部１１１は、電源部１７０の動作を制御する。たとえば、電源制御部１１１は、電源部１７０から装置各部への電力の供給をオン／オフする。つまり、電源制御部１１１は、本体部１００の電源オン／電源オフの切り替えを行う。
【０１３０】
着脱検知部１３０が電気的に動作する場合には、本体部１００が電源オフ状態であっても着脱検知部１３０と本体制御部１１０には電源が供給されているものとする。これは、本体部１００に対する携帯端末２００の装着を検知するためである。
【０１３１】
電源オフ状態は、本体部１００の電源が完全にオフの状態だけでなく、本体部１００が待機電力を受けている状態も含むものとする。後者の例として、上記した着脱検知部１３０に電源が供給されている状態がある。
【０１３２】
［動作］
図１２を参照しつつ、本体部１００の電源オン／電源オフの制御の例を説明する。図１２に示す動作の初期状態において、本体部１００の電源はオフであるとする。
【０１３３】
（Ｓ６１：携帯端末を装着する）
ユーザが、本体部１００に携帯端末２００を装着する。
【０１３４】
（Ｓ６２：本体部が装着を検知する）
本体部１００の着脱検知部１３０および本体制御部１１０が、本体部１００に携帯端末２００が装着されたことを検知する。
【０１３５】
（Ｓ６３：本体部の電源をオンにする）
ステップ６２で携帯端末２００の装着が検知されると、電源制御部１１１は、電源部１７０を制御して装置各部への電源供給を開始させる。これにより、本体部１００は、電源オフ状態から電源オン状態に移行する。
【０１３６】
（Ｓ６４：被検眼の検査等を行う）
ユーザは、携帯端末２００が装着された本体部１００を用いて、被検眼の検査や撮影、治療を行う。
【０１３７】
（Ｓ６５：携帯端末を取り外す）
全ての被検眼について検査等が終了したら、ユーザは、携帯端末２００を本体部１００から取り外す。
【０１３８】
（Ｓ６６：携帯端末の取り外しを検知する）
着脱検知部１３０および本体制御部１１０が、携帯端末２００が本体部１００から取り外されたことを検知する。
【０１３９】
（Ｓ６７：本体部の電源をオフにする）
ステップ６６で携帯端末２００の取り外しが検知されると、電源制御部１１１は、電源部１７０を制御して装置各部への電源供給を終了させる。これにより、本体部１００は、電源オン状態から電源オフ状態に移行する。以上で、この動作例の処理は終了となる。
【０１４０】
［消費電力モード制御］
［構成］
この実施形態の本体部１００の構成例を図１３に示す。なお、携帯端末２００は第１の実施形態と同様の構成であってよい。したがって、携帯端末２００の内部構成の図示は省略する。
【０１４１】
この実施形態の本体部１００は、上記と同様の電源部１７０を有する。また、この実施形態の本体制御部１１０は、消費電力モード制御部１１２を有する。消費電力モード制御部１１２は、本体部１００の消費電力モードの切り替えを行う。消費電力モードとは、本体部１００のどの部分に電力を供給するか、どの程度の電力を供給するかにより規定される、本体部１００の動作状態（動作モード）を示す。この実施形態においては、複数の消費電力モードが事前に設定されている。
【０１４２】
消費電力モードには、通常電力モードと、省電力モードとがある。通常電力モードは、被検眼の情報の取得を行うときに適用される消費電力モードである。通常電力モードでは、装置の全ての部位に規定の電力が供給される。省電力モードは、被検眼の情報の取得を行わないときに適用される消費電力モードである。省電力モードでは、装置の少なくとも一部の部位への電力供給が停止されるか、或いは、装置の少なくとも一部の部位に対する供給電力が通常電力モードの場合よりも低減される。省電力モードの例として、本体部１００を再起動するための電力のみを供給する、いわゆるスリープモードがある。なお、複数の異なる省電力モードを設けることも可能である。
【０１４３】
［動作］
図１４を参照しつつ、本体部１００の消費電力モードの制御の例を説明する。図１４に示す動作の初期状態において、本体部１００の消費電力モードは省電力モードであるとする。
【０１４４】
（Ｓ７１：携帯端末を装着する）
ユーザが、本体部１００に携帯端末２００を装着する。
【０１４５】
（Ｓ７２：本体部が装着を検知する）
本体部１００の着脱検知部１３０および本体制御部１１０が、本体部１００に携帯端末２００が装着されたことを検知する。
【０１４６】
（Ｓ７３：消費電力モードを通常電力モードに切り替える）
ステップ７２で携帯端末２００の装着が検知されると、消費電力モード制御部１１２は、電源部１７０を制御して、本体部１００の消費電力モードを通常電力モードに切り替える。これにより、本体部１００は、被検眼の検査や撮影が可能な状態になる。
【０１４７】
（Ｓ７４：被検眼の検査等を行う）
ユーザは、携帯端末２００が装着された本体部１００を用いて、被検眼の検査や撮影、治療を行う。
【０１４８】
（Ｓ７５：携帯端末を取り外す）
全ての被検眼について検査等が終了したら、ユーザは、携帯端末２００を本体部１００から取り外す。
【０１４９】
（Ｓ７６：携帯端末の取り外しを検知する）
着脱検知部１３０および本体制御部１１０が、携帯端末２００が本体部１００から取り外されたことを検知する。
【０１５０】
（Ｓ７７：消費電力モードを省電力モードに切り替える）
ステップ７６で携帯端末２００の取り外しが検知されると、消費電力モード制御部１１２は、電源部１７０を制御して、本体部１００の消費電力モードを省電力モードに切り替える。これにより、本体部１００はスリープモード等に移行する。以上で、この動作例の処理は終了となる。
【０１５１】
［操作ロック制御］
［構成］
この実施形態の本体部１００の構成例を図１５に示す。なお、携帯端末２００は第１の実施形態と同様の構成であってよい。したがって、携帯端末２００の内部構成の図示は省略する。
【０１５２】
この実施形態の本体制御部１１０は操作制御部１１３を有する。操作制御部１１３は、本体部１００に対する操作を無効にするための制御を行う。操作制御部１１３が実行する処理の例を以下に説明する。
【０１５３】
第１の処理例として、操作制御部１１３は、本体操作部１５０を操作することは可能であるが、その操作内容を受け付けないように制御を行うことができる。この制御は、本体操作部１５０からの信号が入力されたとしても、それに対応する制御を本体制御部１１０に実行させないようにするものである。このような第１の処理例は、操作信号を無効にする制御と言える。
【０１５４】
第２の処理例として、操作制御部１１３は、本体操作部１５０に対する操作を行えないように制御を行う。この制御の例として、本体操作部１５０がハードウェアキー（ボタン、ノブ、ダイヤル等）を含む場合に、そのハードウェアキーの押下や傾倒、回転等を行えないように、ハードウェアキー自体にロックを掛けることができる。他の例として、本体操作部１５０がＧＵＩを含む場合に、ソフトウェアキーを表示させないように本体操作部１５０の表示制御を行うことができる。また、操作制御部１１３は、ＧＵＩともに、またはＧＵＩに代えて、本体部１００の操作が行えない状態（操作ロック状態）である旨を示すメッセージや画像を本体操作部１５０に表示させることも可能である。
【０１５５】
［動作］
図１６を参照しつつ、本体部１００の操作ロック制御の例を説明する。図１６に示す動作の初期状態において、本体部１００は操作ロック状態であるとする。
【０１５６】
（Ｓ８１：携帯端末を装着する）
ユーザが、本体部１００に携帯端末２００を装着する。
【０１５７】
（Ｓ８２：本体部が装着を検知する）
本体部１００の着脱検知部１３０および本体制御部１１０が、本体部１００に携帯端末２００が装着されたことを検知する。
【０１５８】
（Ｓ８３：操作ロック状態を解除する）
ステップ８２で携帯端末２００の装着が検知されると、操作制御部１１３は、本体制御部１１０および／または本体操作部１５０を制御して、操作ロック状態を解除する。これにより、本体部１００は、被検眼の検査や撮影が可能な状態になる。
【０１５９】
（Ｓ８４：被検眼の検査等を行う）
ユーザは、携帯端末２００が装着された本体部１００を用いて、被検眼の検査や撮影、治療を行う。
【０１６０】
（Ｓ８５：携帯端末を取り外す）
全ての被検眼について検査等が終了したら、ユーザは、携帯端末２００を本体部１００から取り外す。
【０１６１】
（Ｓ８６：携帯端末の取り外しを検知する）
着脱検知部１３０および本体制御部１１０が、携帯端末２００が本体部１００から取り外されたことを検知する。
【０１６２】
（Ｓ８７：操作ロック状態に切り替える）
ステップ８６で携帯端末２００の取り外しが検知されると、操作制御部１１３は、本体制御部１１０および／または操作制御部１１３を制御して、操作ロック状態に切り替える。これにより、本体部１００に対する新たな操作は無効となる。以上で、この動作例の処理は終了となる。
【０１６３】
［作用・効果］
この実施形態に係る眼科装置の作用および効果を説明する。
【０１６４】
この実施形態に係る眼科装置は、第１の実施形態と同様に、少なくとも本体部１００を含み、携帯端末２００を含んでいても含んでいなくてもよい。本体部１００および携帯端末２００は、第１の実施形態と同様に作用する。よって、従来のようにコンピュータを眼科装置の近傍に設置したり、バーコードリーダを設けたりする必要がない。
【０１６５】
この実施形態の本体制御部１１０は、電源制御部１１１を含んでいてもよい。電源制御部１１１は、電源オフ状態の本体部１００の装着部１０１に携帯端末２００が装着されたことに対応して本体部１００の電源をオンにする制御を行うことができる。また、電源制御部１１１は、電源オン状態の本体部１００の装着部１０１から携帯端末２００が取り外されたことに対応して本体部１００の電源をオフにする制御を行うことができる。電源制御部１１１は、上記２つの制御の一方または双方を実行する。このような構成によれば、携帯端末２００を装着するだけで本体部１００の電源が自動でオンになるので、操作性の向上を図ることが可能である。また、このような構成によれば、携帯端末２００を取り外すだけで本体部１００の電源が自動でオフになるので、操作性の向上を図ることが可能である。
【０１６６】
この実施形態の本体制御部１１０は、消費電力モード制御部１１２を含んでいてもよい。消費電力モード制御部１１２は、省電力モードの本体部１００の装着部１０１に携帯端末２００が装着されたことに対応して通常電力モードに切り替える制御を行うことができる。また、消費電力モード制御部１１２は、通常電力モードの本体部１００の装着部１０１から携帯端末２００が取り外されたことに対応して省電力モードに切り替える制御を行うことができる。消費電力モード制御部１１２は、上記２つの制御の一方または双方を実行する。このような構成によれば、携帯端末２００を装着するだけで本体部１００の消費電力モードを自動で通常電力モードに切り替えることができるので、操作性の向上を図ることが可能である。また、このような構成によれば、携帯端末２００を取り外すだけで本体部１００の消費電力モードを自動で省電力モードに切り替えることができるので、操作性の向上を図ることが可能である。
【０１６７】
この実施形態の本体制御部１１０は、操作制御部１１３を含んでいてもよい。操作制御部１１３は、装着部１０１から携帯端末２００が取り外されたことに対応して本体部１００に対する新たな操作を無効にする（操作をロックする）制御を行うことができる。また、操作制御部１１３は、装着部１０１に携帯端末２００が装着されたことに対応して操作ロック状態を解除する制御を行うことができる。このような構成によれば、携帯端末２００を取り外すだけで本体部１００に対する操作を無効にすることができるので、操作性の向上を図りつつ、誤操作や悪意の操作を防止することが可能である。また、このような構成によれば、携帯端末２００を装着するだけで本体部１００の操作ロック状態を解除することができるので、操作性の向上を図ることが可能である。
【０１６８】
〈第４の実施形態〉
一般に携帯端末２００はバッテリで駆動する。よって、長時間使用したり、充電を忘れたりすると、電力不足に陥るおそれがある。この実施形態では、このような事態を回避するための発明を説明する。
【０１６９】
この実施形態の本体部１００および携帯端末２００の構成例を図１７に示す。なお、この実施形態に寄与しない部分については図示を省略している。図示しない部位については、第１の実施形態と同様の構成であってよい（図２を参照）。
【０１７０】
この実施形態の本体部１００は、第３の実施形態と同様の電源部１７０に加え、電力送信部１８０を有する。電力送信部１８０は、携帯端末２００に電力を送信するための構成を有する。電力送信部１８０の構成例については後述する。この実施形態の本体制御部１１０は充電制御部１１４を有する。充電制御部１１４は、電源部１７０および電力送信部１８０を制御して、携帯端末２００への電力送信を行わせる。
【０１７１】
この実施形態の携帯端末２００は、上記のようにバッテリ２７０を有する。携帯端末２００の各部には、バッテリ２７０からの電力が供給される。また、この実施形態の携帯端末２００は、電力受信部２８０を有する。電力受信部２８０は、本体部１００の電力送信部１８０から送信された電力を受信する。
【０１７２】
電力送信部１８０および電力受信部２８０の構成例を説明する。電力送信部１８０と電力受信部２８０は、対になって動作することにより電力の送受信を行う。つまり、電力送信部１８０と電力受信部２８０は同じ様式のデバイスである。電力を送受信するための構成は任意であり、接触型でも非接触型でもよい。
【０１７３】
接触型の場合の例を説明する。電力送信部１８０および電力受信部２８０として、同じ様式の電力用コネクタを用いることが可能である。この場合、携帯端末２００の装着動作を煩雑にしないようなタイプのコネクタを適用することが好ましい。また、電力送信部１８０および電力受信部２８０として金属接点を用いることも可能である。
【０１７４】
非接触型の例を説明する。非接触型の電力伝送は「ワイヤレス給電」などと呼ばれている。その具体例として、２つの隣接するコイルの一方（電力送信部１８０側）に電流を流して磁束を発生させることにより、他方のコイル（電力受信部２８０側）に起電力を発生させる電磁誘導方式が知られている。また、電力送信部１８０側に、電流を電磁波に変換する回路と、この電磁波を送信するアンテナを設けるとともに、電力受信部２８０側に、送信された電磁波を受信するアンテナと、受信された電磁波を電流に変換する回路を設ける電波方式も知られている。また、電磁場の共鳴現象を利用した電磁界共鳴方式も知られている。
【０１７５】
充電制御部１１４は、所定のトリガに対応して電力送信部１８０に給電を開始させてもよいし、携帯端末２００が装着されている間、給電し続けるようにしてもよい。所定のトリガとしては、着脱検知部１３０等による携帯端末２００の装着の検知、ユーザによる給電開始操作、バッテリ２７０の蓄電残量の低下などがある。
【０１７６】
ここで、バッテリ２７０の蓄電残量は、たとえば、端末制御部２１０（オペレーティングシステム）によって検出される。端末制御部２１０は、蓄電残量の検出結果を示す情報を、端末通信部２２０を介して本体部１００へ送信する。充電制御部１１４は、この蓄電残量が所定の閾値以下であるか判定し、閾値以下であると判定されたときに電力送信部１８０等を制御して給電を開始させる。他方、蓄電残量の閾値判定を端末制御部２１０が実行し、閾値以下である場合に給電開始要求を本体部１００に送信し、この給電開始要求に対応して充電制御部１１４が給電を開始させるように構成することも可能である。
【０１７７】
この実施形態に係る眼科装置の本体部１００には、本体部１００に供給される電力によって、装着部１０１に装着されている携帯端末２００（のバッテリ２７０）を充電する充電部（充電制御部１１４、電力送信部１８０）が設けられている。それにより、本体部１００に装着されている携帯端末２００を充電することが可能である。したがって、長時間使用したり、充電を忘れたりした場合であっても、携帯端末２００が電力不足に陥ることがない。逆に言えば、携帯端末２００を用いた眼科装置による検査や撮影を長時間にわたり行うことができる。
【０１７８】
〈変形例〉
以上に説明した構成は、この発明を好適に実施するための一例に過ぎない。よって、この発明の要旨の範囲内における任意の変形（省略、置換、付加等）を適宜に施すことが可能である。
【０１７９】
たとえば、第１〜第４の実施形態で説明した各種の構成を任意に組み合わせることが可能である。
【符号の説明】
【０１８０】
１００  本体部
１０１  装着部
１０２  磁石
１０３  通信インターフェイス
１１０  本体制御部
１１１  電源制御部
１１２  消費電力モード制御部
１１３  操作制御部
１１４  充電制御部
１２０  本体通信部
１３０  着脱検知部
１４０  被検眼情報取得部
１５０  本体操作部
１６０  本体記憶部
１７０  電源部
１８０  電力送信部
２００  携帯端末
２１０  端末制御部
２１１  記憶容量管理部
２２０  端末通信部
２３０  表示部
２４０  端末操作部
２５０  端末記憶部
２５１  被検者情報
２５２  動作条件情報
２５３  検者情報
２６０  外部通信部
２７０  バッテリ
２８０  電力受信部
３００  外部装置
【図１Ａ】
2014104130.tif 000003
【図１Ｂ】
2014104130.tif 000004
【図２】
2014104130.tif 000005
【図３】
2014104130.tif 000006
【図４】
2014104130.tif 000007
【図５】
2014104130.tif 000008
【図６】
2014104130.tif 000009
【図７】
2014104130.tif 000010
【図８】
2014104130.tif 000011
【図９】
2014104130.tif 000012
【図１０】
2014104130.tif 000013
【図１１】
2014104130.tif 000014
【図１２】
2014104130.tif 000015
【図１３】
2014104130.tif 000016
【図１４】
2014104130.tif 000017
【図１５】
2014104130.tif 000018
【図１６】
2014104130.tif 000019
【図１７】
2014104130.tif 000020